(57)【特許請求の範囲】
【請求項１】
警報信号および（または）サービス要求に応じた一般情報信号を出力する複数の情報センタにそれぞれ接続される複数の回線と、
一方側が、前記複数の回線に接続され、他方側が、前記警報信号に係る回線の接続を制御する警報網制御ユニットと前記一般情報信号に係る回線の接続を制御する通信方式の異なる複数の一般情報網制御ユニットに接続されるとともに、前記警報網制御ユニットと前記複数の一般情報網制御ユニットの回線接続状態をそれぞれ検出する接続状態検出回路に接続される回線切替回路と、
前記複数の一般情報網制御ユニットに接続されて、前記サービス要求を前記情報センタに送る情報端末装置と、
前記情報端末装置から前記一般情報のサービス要求に係わる回線の接続要求信号が出力されたときに、前記全ての接続状態検出回路の出力に基づいて、前記回線切替回路内の接続配線を決定する切替判定回路とを備え、
前記回線切替回路は、前記複数の回線のいずれも使用されていないときに前記複数の回線のいずれか１つと前記警報網制御ユニットとを接続する第１のスイッチと、
前記第１のスイッチが前記複数の回線のいずれか１つと前記警報網制御ユニットとを接続していないときに他の前記回線を前記警報網制御ユニットに接続する第２のスイッチと、
を備えることを特徴とする網制御ユニット切替制御装置。
【発明の詳細な説明】
【０００１】
【発明の属する技術分野】
本発明は、情報センタから警報信号を受信し、また、情報をリクエストして情報センタから所望の情報を得る為に回線を切り替える網制御ユニット切替制御装置に関する。
【０００２】
【従来の技術】
河川の水位、降雨量等の情報のリクエスト（送信要求）を目的とする防災端末装置において、情報センタから電話回線を介して送られてくる情報信号を受信して、その情報を表示する機能の他、警報信号の受信機能を搭載したものがある。このような防災端末装置は、警報発生時に情報センタからの電話呼び出しの着信を受ける警報網制御ユニット（以下、警報ＮＣＵという）と、受信された警報信号を検出する警報信号検出回路および受信された該当信号の表示回路と、電話回線を介して情報センタに情報リクエストをして所望の情報を得る為のダイヤル接続機能を有する網制御ユニット（以下、ＮＣＵという）と、情報信号を変復調する変復調ユニット（以下、モデムという）とを有している。
【０００３】
防災端末装置において、警報信号とは、河川の水位・降雨状況から情報センタが判定して発令する段階的な信号であり、発令時には、警報信号を必ず受信し、その受信状況の表示を行う必要がある。また、発令される信号は、情報センタからの一方向的な通信方式となっている。従って、警報ＮＣＵは、通常は着信可能な回路構成、すなわち、電話回線と警報ＮＣＵとが接続された状態にある。
【０００４】
しかし、１つの電話回線のみを使用する場合は、警報受信と情報リクエストとを同時にはできない為、警報信号を受信する警報ＮＣＵと、情報リクエストをするＮＣＵとを切り替えて接続する方式となる。この場合、通常は警報ＮＣＵに電話回線が接続されるが、情報リクエストをするときには、警報受信が行われていないことを確認してから電話回線をＮＣＵに接続している。このとき、情報の受信中に警報信号を受信することは不可能となるが、情報センタは提供するリクエストされた情報ともに警報が発令されたことを示す情報を送信し、防災端末装置は警報発令のテロップを表示する等の方法で警報発令を知らせている。
【０００５】
一方、最近では防災情報のきめ細かい収集の為に、特定の情報センタからの情報受信のみならず関連情報センタから広く情報収集が行われるようになってきている。しかしながら、各関連情報センタはそれぞれ独自に運営されている為に従来の情報センタと最近の情報センタとでは接続方法や通信方式が異なっているのが現状である。この為、警報信号を発令する情報センタに対応したＮＣＵとモデムの他に、関連情報センタに対応したＮＣＵとモデムが必要となり、接続毎に回線接続を手動で切り替えるか、電話回線とモジュラジャックとを繋ぎ替えるか、あるいは別の端末と電話回線を用意して情報を入手している。
【０００６】
このような従来技術に係る網制御ユニット切替制御装置１０を、図２に示す。
【０００７】
この網制御ユニット切替制御装置１０は、警報受信の際には情報センタ１２から電話回線網１４を介して電話回線１６に接続され、呼出音信号が回線切替回路１８に入力される。回線切替回路１８は、切替制御回路として機能する切替判定回路２０からの切替制御信号がないときには、電話回線１６と警報信号用接続端子２２とを接続している。この為、回線切替回路１８に入力された呼出音信号は、警報信号用接続端子２２を経由して警報ＮＣＵ２４に入力される。警報ＮＣＵ２４に信号が入力されると呼出音検出回路２６で呼出音信号を検出し、直流閉結回路２８を閉じてオフフックする。このようにして警報信号受信装置３０と情報センタ１２とが接続され、警報信号用直流検出回路３２はこの接続を検出して切替判定回路２０にこれを示す信号を出力する。警報信号受信装置３０に警報信号が入力されると、警報信号検出回路３４によって警報信号が検出され、警報表示ＬＥＤ３６が点灯される。
【０００８】
一方、防災情報端末である情報端末装置３８を使用して情報センタ１２から降雨量等の情報を得るときには、情報端末装置３８の端末受信判定回路４０から切替判定回路２０に接続要求信号を送信する。切替判定回路２０は警報信号用直流検出回路３２からの信号により、警報ＮＣＵ２４がオンフックである、すなわち、電話回線１６が使用されていないと判断した際に、情報端末装置３８に接続許可信号を送信する。同時に、切替判定回路２０は回線切替回路１８を電話回線１６と情報用接続端子４２とが接続されるように切り替える。次いで、情報端末装置３８はＮＣＵ４４を動作させて接続先の情報センタ１２にダイヤルをして接続した後、モデム４６を動作させて情報センタ１２と情報の送受信を行う。情報通信が終了するとＮＣＵ４４をオフフックして情報センタ１２との接続を切断し、回線切替回路１８を切り替えて電話回線１６と警報信号用接続端子２２とが接続された状態にする。
【０００９】
警報信号受信中に情報センタ１２から情報を受信しようとすると、切替判定回路２０は電話回線１６が使用中である為、情報端末装置３８に接続許可信号を送信せず、回線切替回路１８の切り替え制御を行わない。従って、警報信号の受信に支障をきたす懸念がない。
【００１０】
情報端末装置３８によって情報センタ１２から情報を受信しているときには、電話回線１６から警報信号を受信することができない。この為、ＮＣＵ４４と電話回線４８とを接続するように構成すると、情報端末装置３８と情報センタ１２とを電話回線４８を介して接続して情報の受信をすることができ、しかも、このときに情報センタ１２から警報信号が送信されたときには前述と同様に受信される。
【００１１】
情報センタ１２と接続方法や通信方式が異なる関連情報センタから情報を得る場合には、情報センタ１２と接続するモデム４６、ＮＣＵ４４とは別に、接続される関連情報センタに適応するモデム、ＮＣＵを用意し、接続毎に回線接続を手動で切り替えるか、電話回線とモジュラジャックとを繋ぎ替えるか、あるいは別の端末と電話回線を用意して情報を入手している。
【００１２】
【発明が解決しようとする課題】
このように、接続される関連情報センタに適応するモデム、ＮＣＵを接続する際に、接続毎に回線接続を手動で切り替える為、回線接続の変更等の作業が繁雑である。さらに、通信中に誤って回線の接続を変更してしまうおそれがあり、情報通信が中断されて、正確な情報を得ることができなくなるという欠点がある。
【００１３】
また、関連情報センタと接続して情報を入手する為に、情報端末装置と電話回線とを別途用意すると、多くの回線が必要となり、装置のコストが高騰するという問題がある。
【００１４】
本発明は前記の課題を解決すべくなされたものであり、回線の接続を容易且つ確実に行うことが可能な網制御ユニット切替制御装置を提供することを目的とする。
【００１５】
【課題を解決するための手段】
前記の目的を達成する為に、本発明は、警報信号および（または）サービス要求に応じた一般情報信号を出力する複数の情報センタにそれぞれ接続される複数の回線と、一方側が、前記複数の回線に接続され、他方側が、前記警報信号に係る回線の接続を制御する警報網制御ユニットと前記一般情報信号に係る回線の接続を制御する通信方式の異なる複数の一般情報網制御ユニットに接続されるとともに、前記警報網制御ユニットと前記複数の一般情報網制御ユニットの回線接続状態をそれぞれ検出する接続状態検出回路に接続される回線切替回路と、前記複数の一般情報網制御ユニットに接続されて、前記サービス要求を前記情報センタに送る情報端末装置と、前記情報端末装置から前記一般情報のサービス要求に係わる回線の接続要求信号が出力されたときに、前記全ての接続状態検出回路の出力に基づいて、前記回線切替回路内の接続配線を決定する切替判定回路とを備え、前記回線切替回路は、前記複数の回線のいずれも使用されていないときに前記複数の回線のいずれか１つと前記警報網制御ユニットとを接続する第１のスイッチと、前記第１のスイッチが前記複数の回線のいずれか１つと前記警報網制御ユニットとを接続していないときに他の前記回線を前記警報網制御ユニットに接続する第２のスイッチと、を備えることを特徴とする。
【００１６】
本発明によれば、情報端末装置と複数の回線のいずれか１つとを接続して情報の送受信をする際、回線に接続された情報センタの接続方法や通信方式に応じたモデム、ＮＣＵを選択することができ、また、回線切替回路によって、複数の回線と、複数の網制御ユニットおよび警報網制御ユニットとを接続させる為、回線の接続を容易かつ確実に行うことができる。そしてさらに、前記回線切替回路が、前記複数の回線のいずれも使用されていないときに前記複数の回線のいずれか１つと前記警報網制御ユニットとを接続する第１のスイッチと、前記第１のスイッチが前記複数の回線のいずれか１つと前記警報網制御ユニットとを接続していないときに他の前記回線を前記警報網制御ユニットに接続する第２のスイッチと、を備えているので、警報網制御ユニットは常に前記複数の回線のいずれか１つに接続され、常に警報信号が受信可能な状態にすることができる。
【００１８】
【発明の実施の形態】
本発明に係る網制御ユニット切替制御装置について、好適な実施の形態を挙げ、添付の図面を参照しながら以下詳細に説明する。なお、前述した従来技術と同一の構成要素には同一の参照符号を付す。
【００１９】
図１において、参照符号１００は、本実施の形態に係る網制御ユニット切替制御装置を示す。この網制御ユニット切替制御装置１００は、第１種通信事業者から提供される電話回線１６、４８、警報信号受信装置３０、パーソナルコンピュータ等の情報端末装置３８に接続される。この場合、電話回線１６と４８とは同一の第１種通信事業者から提供されてもよく、あるいは、それぞれ異なる第１種通信事業者から提供されてもよい。電話回線１６、４８は電話回線網１４に接続される。
【００２０】
網制御ユニット切替制御装置１００は回線切替回路１０２を有し、回線切替回路１０２はモジュラジャック１０４、１０６を介して電話回線１６、４８に接続される。回線切替回路１０２にはモジュラジャック１０４に接続されるスイッチ（第１のスイッチ）１０８が設けられ、スイッチ１０８は、回線切替回路１０２に切替制御信号が入力されていないとき、モジュラジャック１０４と警報信号用接続端子１１０とを接続する。回線切替回路１０２にはスイッチ（第２のスイッチ）１１２が設けられ、スイッチ１１２の一方の端子はモジュラジャック１０６に、他方の端子は端子１１４に接続される。モジュラジャック１０６にはスイッチ１１６が接続され、スイッチ１１６はスイッチ１１８を介して第１の情報用接続端子１２０または第２の情報用接続端子１２２に接続される。
【００２１】
回線切替回路１０２の警報信号用接続端子１１０および端子１１４は警報ＮＣＵ（警報網制御ユニット）２４に接続される。警報ＮＣＵ２４は電話回線１６または電話回線４８と警報信号受信装置３０との接続、遮断を制御する直流閉結回路２８と、電話回線１６または電話回線４８から受信される呼出音信号を検出する呼出音検出回路２６と、電話回線１６または電話回線４８が使用されているか否かを検出する警報信号用直流検出回路（接続状態検出回路）３２とを有する。直流閉結回路２８の出力信号は警報信号受信装置３０の警報信号検出回路３４に入力され、警報信号検出回路３４の出力は警報表示ＬＥＤ３６に入力される。
【００２２】
警報信号用直流検出回路３２の出力信号は切替制御回路として機能する切替判定回路１２４に入力される。また、切替判定回路１２４には第１の情報用接続端子１２０、第２の情報用接続端子１２２にそれぞれ接続された接続状態検出回路である第１の直流検出回路１２６、第２の直流検出回路１２８の出力信号が入力される。切替判定回路１２４の出力信号は回線切替回路１０２に入力され、スイッチ１０８、１１２、１１６および１１８を制御する。
【００２３】
第１の情報用接続端子１２０、第２の情報用接続端子１２２にはそれぞれダイヤル接続機能を有する第１のＮＣＵ（網制御ユニット）１３０、第２のＮＣＵ（網制御ユニット）１３２が接続され、第１のＮＣＵ１３０、第２のＮＣＵ１３２にはそれぞれ変復調ユニットである第１のモデム１３４、第２のモデム１３６が接続される。第１のＮＣＵ１３０、第２のＮＣＵ１３２、第１のモデム１３４および第２のモデム１３６は情報端末装置３８の端末受信判定回路４０に接続される。第１のＮＣＵ１３０、第１のモデム１３４は警報信号を発令する情報センタ１２に対応した接続方法および通信方式（例えば、ＩＴＵ−Ｔの規格Ｖ２７ｔｅｒ）に設定され、第２のＮＣＵ１３２、第２のモデム１３６は、例えば、ホームページを開設している気象協会等、他の関連情報センタ１４０に対応した接続方法および通信方式（例えば、ＩＴＵ−Ｔの規格Ｖ４２）に設定される。
【００２４】
本実施の形態に係る網制御ユニット切替制御装置１００は、基本的には以上のように構成されるものであり、次にその動作並びに作用効果について説明する。
【００２５】
情報センタ１２は、河川の水位、降雨量等の情報を収集しており、これらの情報から必要に応じて電話回線網１４、電話回線１６を経由して警報信号を発令する。警報信号は、発令時には必ず受信し、その受信状況の表示を行う必要がある。そこで、情報センタ１２はこの網制御ユニット切替制御装置１００が接続されている電話回線１６をダイヤルする。すると、電話回線１６から呼出音信号がモジュラジャック１０４、回線切替回路１０２のスイッチ１０８、警報信号用接続端子１１０を経由して警報ＮＣＵ２４に送付される。警報ＮＣＵ２４の呼出音検出回路２６によりこの呼出音信号が検出されると、直流閉結回路２８を閉結してオフフックする。この為、警報信号受信装置３０が情報センタ１２と接続され、通話状態となる。そこで、情報センタ１２は警報信号を送信する。警報信号検出回路３４はこの警報信号を検出すると警報表示ＬＥＤ３６を点灯させる。この為、警報信号受信装置３０のオペレータは警報が発令されたことを検知することができる。
【００２６】
このとき、警報信号用直流検出回路３２は警報信号用接続端子１１０にかかる電圧を検出して切替判定回路１２４に出力しており、情報端末装置３８は切替判定回路１２４から入力される信号により、電話回線１６が通話中であることを検出することができる。
【００２７】
一方、情報端末装置３８を使用して情報センタ１２から河川の水位、降雨量等の情報（一般情報）を得る場合、先ず、情報端末装置３８の端末受信判定回路４０は切替判定回路１２４に接続要求信号を送信する。切替判定回路１２４は警報信号用直流検出回路３２、第１、第２の直流検出回路１２６、１２８から入力される信号に基づいて電話回線１６、４８が使用中か否かを判断し、使用していない電話回線１６または４８を選択する。例えば、電話回線１６が使用されていない場合、切替判定回路１２４は回線切替回路１０２のスイッチ１０８、１１６、１１８を制御して電話回線１６と第１の情報用接続端子１２０とを接続する。そして、切替判定回路１２４は端末受信判定回路４０に接続許可信号を送信する。このとき、スイッチ１０８により電話回線１６と警報信号用接続端子１１０とが遮断される為、スイッチ１１２を閉結して電話回線４８と警報ＮＣＵ２４とを接続しておく。
【００２８】
次に、端末受信判定回路４０は情報センタ１２に対応する接続方法、通信方式に設定された第１のＮＣＵ１３０を動作させ、電話回線１６を経由して情報センタ１２にダイヤルし、情報端末装置３８と情報センタ１２とを接続する。次いで、第１のモデム１３４を動作させて情報センタ１２にサービス要求である情報リクエストをし、所望の情報の受信を行う。この為、情報端末装置３８は河川の水位、降雨量等の情報を得ることができる。
【００２９】
情報通信が終了すると第１のＮＣＵ１３０をオフフックして情報センタ１２との接続を切断し、回線切替回路１０２を切り替えて電話回線１６と警報信号用接続端子１１０とが接続された状態にする。
【００３０】
情報端末装置３８が電話回線１６を介して情報センタ１２から情報を受信しているときに、情報センタ１２から警報信号を受信する場合、情報センタ１２は電話回線１６が通話中である為、電話回線４８にダイヤルする。このとき、前述のように、回線切替回路１０２のスイッチ１１２は電話回線４８と警報ＮＣＵ２４とが接続された状態となっている為、情報センタ１２からの呼出音信号が電話回線４８、スイッチ１１２を経由して警報ＮＣＵ２４に入力される。そして、呼出音検出回路２６によって呼出音信号が検出され、直流閉結回路２８が閉結されて警報信号が警報信号受信装置３０に入力される。従って、警報表示ＬＥＤ３６が点灯する。
【００３１】
このように、電話回線１６と情報端末装置３８との接続が妨げられることなく警報信号が受信される為、通信が中断したり欠損することがなく、正確な情報を得ることができる。
【００３２】
情報センタ１２とは別の関連情報センタ１４０から情報を得る場合には、端末受信判定回路４０は切替判定回路１２４に接続要求信号を送信すると、切替判定回路１２４は使用していない電話回線１６または４８を選択する。例えば、電話回線４８が使用されていない場合、切替判定回路１２４は回線切替回路１０２を制御して電話回線４８と第２の情報用接続端子１２２とを接続する。このとき、電話回線１６はスイッチ１０８によって警報信号用接続端子１１０に接続される。次いで、切替判定回路１２４は端末受信判定回路４０に接続許可信号を送信する。そして、端末受信判定回路４０は関連情報センタ１４０に対応する接続方法、通信方式に設定された第２のＮＣＵ１３２、第２のモデム１３６を使用し、前述と同様にして、関連情報センタ１４０に接続して情報を得る。
【００３３】
情報端末装置３８が電話回線４８を使用して関連情報センタ１４０と情報の送受信をしているときに、情報センタ１２から警報信号を受信する場合、電話回線１６は回線切替回路１０２のスイッチ１０８によって警報ＮＣＵ２４に接続されている為、前述と同様にして、警報信号受信装置３０は電話回線１６を経由して情報センタ１２から警報信号を受信する。
【００３４】
警報信号受信装置３０が電話回線１６を使用して警報信号を受信しているときに情報センタ１２または関連情報センタ１４０から情報を得る場合、切替判定回路１２４は警報信号用直流検出回路３２から入力される信号により、電話回線１６が使用されていることを検知する。そこで、電話回線４８を選択して情報センタ１２または関連情報センタ１４０と情報端末装置３８とを接続して情報を得る。この為、電話回線１６から受信される警報信号が妨げられることがなく、正確な情報を得ることができる。
【００３５】
上述したように、本実施の形態によれば、警報信号および（または）サービス要求に応じた一般情報信号を出力する複数の情報センタ１２、１４０にそれぞれ接続される複数の電話回線１６、４８と、一方側が、複数の電話回線１６、４８に接続され、他方側が、警報信号に係る回線の接続を制御する警報ＮＣＵ２４と一般情報信号に係る回線の接続を制御する接続方法や通信方式の異なる第１、第２のＮＣＵ１３０、１３２に接続されるとともに、警報ＮＣＵ２４および第１、第２のＮＣＵ１３０、１３２の回線接続状態をそれぞれ検出する直流検出回路３２、１２６、１２８に接続される回線切替回路１０２と、第１、第２のＮＣＵ１３０、１３２に接続されて、サービス要求を情報センタ１２、１４０に送る情報端末装置３８と、情報端末装置３８から一般情報のサービス要求に係わる回線の接続要求信号が出力されたときに、全ての直流検出回路３２、１２６、１２８の出力に基づいて、回線切替回路１０２内の接続配線を決定する切替判定回路１２４とを備えている。これにより、接続される情報センタ１２または１４０に対応して第１のＮＣＵ１３０、第１のモデム１３４と第２のＮＣＵ１３２、第２のモデム１３６とを変更する際に、警報信号用直流検出回路３２、第１、第２の直流検出回路１２６、１２８の出力信号に基づいて、空いている電話回線１６または４８を選択して自動的に切り替える為、回線接続の変更等の作業を容易且つ確実に行うことができ、情報通信中に誤って同一の電話回線１６または４８を選択してしまうことがなくなり、情報の送受信が中断したり欠損する懸念が払拭される。
【００３６】
また、回線切替回路１０２が、複数の電話回線１６、４８のいずれも使用されていないときに電話回線１６と警報ＮＣＵ２４とを接続するスイッチ１０８と、スイッチ１０８が電話回線１６と警報ＮＣＵ２４とを接続していないときに他の電話回線４８を警報ＮＣＵ２４に接続するスイッチ１１２とを備えることにより、電話回線１６または４８のいずれかが使用されている場合であっても警報信号受信装置３０によって情報センタ１２から送信される警報信号を受信することが可能である。
【００３７】
【発明の効果】
本発明に係る網制御ユニット切替制御装置によれば、以下のような効果並びに利点が得られる。
【００３８】
接続される情報センタに対応して網制御ユニット、変復調ユニットを変更する際に、複数の接続状態検出回路の出力信号に基づいて使用されていない回線を選択して自動的に切り替える為、回線接続の変更等の作業を容易且つ確実に行うことができ、情報通信中に誤って同一の回線を選択してしまうことがなくなり、情報の送受信が中断したり欠損する懸念が払拭される。また、複数の回線のいずれかが使用されている場合であっても警報網制御ユニットは常に他の回線に接続されている為、常に警報信号が受信可能な状態にすることができる。
【図面の簡単な説明】
【図１】本発明の実施の形態に係る網制御ユニット切替制御装置を示すブロック図である。
【図２】従来技術に係る網制御ユニット切替制御装置を示すブロック図である。
【符号の説明】
１２、１４０…情報センタ      １６、４８…電話回線
２４…警報ＮＣＵ              ３０…警報信号受信装置
３２、１２６、１２８…直流検出回路
３８…情報端末装置
１００…網制御ユニット切替制御装置
１０２…回線切替回路
１０８、１１２、１１６、１１８…スイッチ
１２４…切替判定回路          １３０、１３２…ＮＣＵ
１３４、１３６…モデム
【図１】
0004068735.tif 000002
【図２】
0004068735.tif 000003